(57)【特許請求の範囲】
【請求項１】
絞り口径を形成する複数の絞り羽根と、該絞り羽根を枢着する絞り環受けと、該絞り環受けに回動自在に嵌装し前記絞り羽根と係合する絞り環とを備え、該絞り環を回動することにより前記絞り羽根の絞り口径を変化させる顕微鏡の絞り機構において、
前記絞り環受けに回動自在に支持される支点部と前記絞り環に係合する係合部とを有する操作レバーを設け、該操作レバーの前記支点部を中心とする回動操作により前記絞り環を駆動するようにしたことを特徴とする顕微鏡の絞り機構。
【請求項２】
前記絞り羽根が最小絞り口径となる位置に、前記絞り環の回動を規制する規制手段を設けたことを特徴とする請求項１記載の顕微鏡の絞り機構。
【請求項３】
前記絞り羽根が最小絞り口径となる位置で、さらに前記操作レバーを移動することにより、前記絞り羽根の最小絞り口径を前記操作レバーで遮蔽するように構成したことを特徴とする請求項２記載の顕微鏡の絞り機構。
【発明の詳細な説明】
【０００１】
【発明の属する技術分野】
本発明は、顕微鏡の絞り機構に関する。
【０００２】
【従来の技術】
顕微鏡の絞り機構に関しては、顕微鏡のターレットコンデンサ−として、特公昭６３−１５５６６号公報所載の技術（従来技術１）が開示されている。図１２〜図１７を用いて、この技術を説明する。図１２は顕微鏡の透過照明光路の正面図、図１３は顕微鏡の透過照明光路の上面図、図１４はコンデンサユニットの拡大断面図、図１５は絞り環の下面図、図１６は絞り環受けおよび絞り羽根の上面図、図１７は絞り環受けの上面図である。図１２および図１３において、顕微鏡本体６１には、透過照明光路６２が配備され、この透過照明光路６２上にコンデンサユニット６３が配設されている。コンデンサユニット６３内のコンデンサレンズ群６４、６４′の中間に絞り機構６５が配置されている。
【０００３】
図１４において、絞り機構６５は、絞り環７３と絞り環受け７５とこの両者間に介装された複数の絞り羽根７４とによって構成されている。絞り環受け７５はコンデンサユニット６３内のユニット本体６３Ａに固着され、絞り環受け７５には、絞り環７３が透過照明光路６２の光軸回りに回動自在に嵌装されている。絞り羽根７４の下面の一端にはダボ７４ｂが固着され、ダボ７４ｂは絞り環受け７５に穿設された複数のダボ穴７５ｂの一つに回動自在に嵌装している。他の絞り羽根７４も同様である。また、絞り羽根７４の上面の一端にもダボ７４ｃが固着され、ダボ７４ｃは絞り環７３の下面に刻設された放射状溝７３ｂに摺動自在に係合している。また、絞り機構６５とは別に、シャッタ機構が独立して設けられており、シャッタ板７６に開けられた開口部を透過照明光路６２の光軸から挿脱することによって、絞り口径の大きさに関係なくシャッタの開閉を行うようになっている。
【０００４】
図１５に示すように、絞り環７３には、絞り操作レバー７１が連設されているとともに、絞り羽根７４のダボ７４ｃが摺動自在に係合する放射状溝７３ｂが刻設されている。放射状溝７３ｂの数は絞り羽根７４の数と合致している。図１６に示すように、絞り環受け７５内に組み込まれた複数の絞り羽根７４には、下面側にダボ７４ｂ、上面側にダボ７４ｃが固着されている。下面側のダボ７４ｂは、図１７に示した絞り環受け７５に穿設された複数のダボ穴７５ｂに回動自在に嵌装している。ダボ穴７５ｂの数は放射状溝７３ｂの数と同数である。
【０００５】
上記構成の絞り機構において、操作レバー７１を操作して絞り環７３を所定の角度回動させると、複数の絞り羽根７４のダボ７４ｃは光軸を中心として同一角度回動するが、絞り羽根７４のダボ７４ｂは絞り環受け７５のダボ穴７５ｂを回転中心としているので、複数の絞り羽根７４は揺動運動し、複数の絞り羽根７４によって形成される絞り口径が変化する。
【０００６】
最近の顕微鏡の照明装置には、高い解像力を要求される対物レンズに対応し大きな開口数（ＮＡ）が要求されるようになってきている。その一方で、焦点深度を深くしたり、コントラストを良くしたいという要求から、開口径を絞る必要があり、これらを実現するために、照明光量を加減する絞り機構は、大口径から小口径まで対応可能なものが求められている。この要求に応えるものとして、特開平３−１５７６０９号公報所載の技術（従来技術２）が開示されている。図１８および図１９を用いてこの技術を説明する。図１８は顕微鏡用ターレットコンデンサーの縦断面図、図１９は絞り操作盤と第２ターレットの細部構造を示す分解要部斜視図である。
【０００７】
図１８において、顕微鏡用ターレットコンデンサーは、第１ターレット９１と第２ターレット９２との２段に分けられ、各種検鏡方法に対応させている。第１ターレット９１の下段に第２ターレット９２があり、第２ターレット９２には、従来技術１で示したものと同様の絞り機構を利用した絞りユニット９３が組み込まれている。また、第１ターレット９１と第２ターレット９２との間には、絞りユニット９３を操作するための絞り操作盤９４が配設され、それぞれ同一の回転軸回りで回転自在に保持されている。図１９に示すように、第２ターレット９２の絞りユニット９３の下部には、リングギア９５が回転自在に取着されている。また、第２ターレット９２の外周部から一部が突出する位置に、駆動ギア９６が回転自在に配設され、リングギア９５と噛合している。一方、絞り操作盤９４には、任意の絞り口径に対して干渉しないだけの開口範囲を有する弧状開口９７が穿設されている。
【０００８】
上記構成の絞り機構により、駆動ギア９６を操作するか、絞り操作盤９４を操作することにより、第２ターレット９２に設けられた絞り機構を作動させることができる。また、絞り操作盤９４に弧状開口９７があるため、任意の絞り口径であっても、絞り操作盤９４と干渉することなく操作ができる。
【０００９】
【発明が解決しようとする課題】
前述のように、最近の顕微鏡の照明装置には、高い解像力を要求される対物レンズに対応し大きな開口数（ＮＡ）が要求されるようになってきている。その一方で、焦点深度を深くしたり、コントラストを良くしたいという要求から、開口径を絞る必要があり、これらを実現するために、照明光量を加減する絞り機構は、大口径から小口径まで対応可能なものが求められている。しかるに、上記従来技術２における絞り機構を検討すると、ターレットの回転軸を光軸の外に設け、大きなＮＡに合わせて大口径の状態まで対応させようとすると、ターレットの径もこれに合わせて大きくする必要がある。また、駆動ギアの操作または絞り操作盤の操作によって、絞り口径に干渉しないように構成するには、透過穴の弧状開口範囲を非常に大きく取らなければならず、結果的にコンデンサの大型化、ひいては鏡体の大型化や、鏡体自体の大幅な改造を招くことになる。駆動ギアの場合には、併せて構成の複雑さもあり、スペース効率の悪さ、並びに機構の複雑化に伴う原価上昇や精度の低下、調整の困難性など数多くの問題点があった。
【００１０】
また、最近の工業系顕微鏡などにおいては、ＩＣ基板など対応する披検物の大型化に伴って、使用するステージが大きく、かつ重くなってきている。このステージを検鏡に影響を及ぼさないように強固に支えるためには、光軸周りを厚肉にして剛性を高めておく必要があり、これに対応して、光軸中心に位置するコンデンサの周りを囲む形で壁が設けられている。このため、従来のコンデンサについては、その操作を行う範囲が限られ、非常に操作性が悪かった。従来技術１で示したように、図１２において、絞り機構６５は、光軸周りに同心円状に配された絞り環７３（図１４参照）の回転によって操作が行われ、顕微鏡本体６１の奥まった位置にある絞り機構６５まで指を入れなければ操作ができず、なおかつ、力のかけにくい状態のまま、指の腹などで操作することを余儀なくされている。
【００１１】
また、図１５〜図１７で示したように、絞り環７３を回転させて、絞り羽根７４を任意の絞り口径に合わせて開閉するための必要な回転範囲は、絞り羽根７４の枚数にもよるが、一般的には絞り環受け７５に対して約９０度程度（図１３参照）と大きい。操作性を高めるために、絞り操作レバー７１を長くしようと試みても、スペース上無理であったり、逆に絞り操作レバー７１の大型化に伴って、顕微鏡本体が大きくなるとか、コンデンサを取り囲む壁を大きく切り取る必要が生じるという問題点があった。
【００１２】
本発明は上記従来の問題点に鑑みてなされたもので、請求項１、２または３に係る発明の課題は、顕微鏡のコンデンサ周りなどのスペースが狭い箇所でも、絞り口径の開閉操作を簡単な構造でかつ容易に行うことができる顕微鏡の絞り機構を提供することである。
【００１３】
【課題を解決するための手段】
上記課題を解決するために、請求項１、２または３に係る発明は、絞り口径を形成する複数の絞り羽根と、該絞り羽根を枢着する絞り環受けと、該絞り環受けに回動自在に嵌装し前記絞り羽根と係合する絞り環とを備え、該絞り環を回動することにより前記絞り羽根の絞り口径を変化させる顕微鏡の絞り機構において、前記絞り環受けに回動自在に支持される支点部と前記絞り環に係合する係合部とを有する操作レバーを設け、該操作レバーの前記支点部を中心とする回動操作により前記絞り環を駆動するようにした。
【００１４】
請求項１、２または３に係る発明の顕微鏡の絞り機構では、支点部回りに操作レバーを回動すると、操作レバーの係合部に係合する絞り環が回動し、さらに絞り環は絞り口径を形成する絞り羽根を回動するので、絞り口径が変化する。
【００１５】
請求項２または３に係る発明の顕微鏡の絞り機構では、上記作用に加え、絞り環の回動を規制する規制手段に絞り環が当接し、最小絞り口径を決める。
【００１６】
請求項３に係る発明の顕微鏡の絞り機構では、上記作用に加え、絞り羽根が最小絞り口径となる位置で、操作レバーを移動させ、絞り羽根の最小絞り口径を操作レバーで遮蔽する。
【００１７】
【発明の実施の形態】
本発明の実施の形態における具体的実施の形態では、顕微鏡用コンデンサの絞り機構を例としているが、これに限定されるものではなく、光源絞りや視野絞りなど、光路上でスペースに制約のある箇所の絞り機構に適用できるものである。なお、請求項１に係る発明の顕微鏡の絞り機構は、実施の形態１〜３に対応し、請求項２および請求項３に係る発明の顕微鏡の絞り機構は、実施の形態２〜３に対応している。以下、具体的な実施の形態について説明する。
【００１８】
（実施の形態１）
図１〜図６は実施の形態１を示し、図１は顕微鏡の透過照明光路の正面図、図２は顕微鏡の透過照明光路の上面図、図３は絞り機構の下面図、図４〜図６は操作レバーの回動位置と絞り口径との関係を示す図である。
【００１９】
図１および図２において、顕微鏡本体１０の下部には、透過照明光路を構成する光源ユニット１１が配設され、上部にはコンデンサユニット１２が配設されている。コンデンサユニット１２の下部には、絞り機構が配設され、従来技術１で示したものと逆向きに構成されている。コンデンサユニット１２の本体１２Ａの下面に絞り環受け１８が小ネジ１９によって取着され、絞り環受け１８には、絞り環１６が回動自在に嵌装されている。絞り環受け１８と絞り環１６との間には、複数の絞り羽根１７が介装されている。絞り環受け１８の下面の操作部手前側には、回転軸１４が垂設され、この回転軸１４には、操作レバー１３の支点部としての支点穴１３ｅが回動自在に嵌装している。また、絞り環１６には、ピン１５が垂設され、このピン１５に操作レバー１３の先端に形成された係合部としての長溝１３ｃ（図１３参照）が係合し、操作レバー１３を回動することにより、絞り環１６を光軸回りに回動させる。これにより絞り羽根１７の絞り口径が変化する。
【００２０】
絞り環１６の回動中心である光軸に対して、操作レバー１３の回動中心である回転軸１４は操作者側にあるので、ピン１５の位置において回動半径が異なっている。与えた回動成分に対して、それぞれの回動中心から作用点までの距離、すなわち回動半径分が比例的に加味されることになるが、本実施の形態では、操作レバー１３の回動半径と絞り環１６の回動半径との比率は約９：４となっている（図３参照）。従って、絞り羽根１７を動かすための絞り環１６の回動角度と、この絞り環１６の回動角度を作動させるために必要な操作レバー１３の回動角度とは異なってくる。本実施の形態では、図２に示すように、絞り環１６が必要とする回動角度は９０°なのに対して、操作レバー１３の操作範囲は回動角度にして４０°となっている。なお、この９：４の回動半径の比率は、スペースなどの状況に応じて、任意に設定するものである。
【００２１】
図３を用いて、本実施の形態の絞り機構を詳細に説明する。図３において、絞り環受け１８の下面に垂設された回転軸１４を回動中心として回動する操作レバー１３は、把手１３ａ、操作板１３ｂ、長溝１３ｃおよび突起部１３ｄから形成されている。把手１３ａは、２段に折れ曲がり操作者が操作し易い位置まで延長されている。操作板１３ｂは、絞り羽根１７の内側形状によって形成される絞り口径と干渉せず、また絞り羽根１７の外側形状によって形成される絞り羽根１７の最大移動範囲の内側に収まる形状になっているので、操作板１３ｂの移動範囲を絞り環受け１８の内側だけに収めることができる。長溝１３ｃは、ピン１５に摺動自在な幅寸法に形成されている。突起部１３ｄは、絞り口径に合わせて、操作板１３ｂが任意の位置に移動した場合でも、常に絞り環１６の下面に接しており、操作レバー１３の回動を安定させ、かつ必要以上の回動力がかかった場合でも、操作板１３ｂに発生する歪みなどの変形の影響を少ないものにしている。
【００２２】
絞り環１６の上面には、複数枚の絞り羽根１７と同数の放射状溝１６ａが刻設されている。絞り環受け１８は、その絞り羽根１７を収納する面の下面に、絞り羽根１７と同数のダボ穴１８ａを穿設している。絞り羽根１７は、最低６枚必要であり、本実施の形態では１０枚にて構成されている。絞り羽根１７の一端には、絞り環１６の放射状溝１６ａと摺動自在に係合する下向きダボ２０が固着され、他端には絞り環受け１８に穿設さたダボ穴１８ａに回動自在に嵌装される上向きダボ２１が固着されている。絞り環受け１８の下面には、絞り口径が最大および最小となる位置に、規制手段としてのストッパ２２Ａ、２２Ｂが配設されている。
【００２３】
上記構成の絞り機構の動作を説明する。操作レバー１３を回転軸１４の回りに回動させると、操作レバー１３の先端に形成された長溝１３ｃが、絞り環１６に垂設されたピン１５を回動し、絞り環１６に刻設された放射溝１６ａに係合している絞り羽根１７の下向きダボ２０が回動する。絞り羽根１７の上向きダボ２１が嵌装している絞り環受け１８に穿設されたダボ穴１８ａを中心にして、絞り羽根１７が回動することにより、絞り羽根１７の内側形状によって形成される絞り口径が変化する。図４〜図６は、絞り口径の変化を示している。図４では、操作レバー１３の長溝１３ｃが形成された先端部の外縁がストッパ２２Ａに当接し、絞り口径は最大となっている。図５では、操作レバー１３は中間位置にあり、絞り口径も中間になっている。図６では、操作レバー１３の長溝１３ｃが形成された先端部の外縁がストッパ２２Ｂに当接し、絞り口径は最小となっている。
【００２４】
本実施の形態によれば、顕微鏡のコンデンサ周りなどのスペースが狭い場合でも、絞り口径の開閉操作を簡単な構造でかつ容易に行うことができる。また、操作レバーに突起部を設けたので、操作レバーの回動動作を安定させ、かつ、必要以上の回転力がかかった場合でも、操作レバーに発生する歪みなどの変形の影響を少なくすることができる。さらに、絞り環受け上にストッパーを設け、操作レバーが当接して最大および最小の絞り口径となるようにしたので、絞り羽根に必要以上の負荷を与えず、故障や精度への影響を及ぼすことがない。
【００２５】
（実施の形態２）
図７〜図８は実施の形態２を示し、図７は最小絞り口径の状態を示す絞り機構の下面図、図８は操作レバーの移動により最小絞り口径を遮蔽した図である。本実施の形態は、実施の形態１とは操作レバーとその関連部分のみが異なり、その他の部分は同一のため、異なる部分のみ示し、同一部分の図と説明を省略する。また、図７および図８においても、実施の形態１と同一の部材には同一の符号を付し説明を省略する。
【００２６】
図７において、絞り環受け４６は、実施の形態１と同様に、コンデンサユニット１２（図示省略）の本体１２Ａ（図示省略）の下面に小ネジ１９により取着されている。絞り環受け４６には、絞り環４３が回動自在に嵌装されており、実施の形態１と同様に複数の絞り羽根（図示省略）が絞り環受け４６と絞り環４３との間に介装されている。絞り環受け４６の下面の操作者側には、回転軸１４が垂設され、操作レバー４１の支点部としての支点穴４１ｆが回動自在に嵌装している。操作レバー４１には、実施の形態１と同様に、把手４１ａ、操作板４１ｂ、および突起部４１ｃが形成されている。また、操作レバー４１の先端部分には、作用点部４１ｄが形成され、捻じりバネ４２がその一端に固着されている。作用点部４１ｄには略Ｌ字形の係合部としての長溝４１ｅが形成されており、絞り環４３に垂設されたピン１５が係合し、捻じりバネ４２の弾発力に付勢されて、長溝４１ｅの一方の壁面に固定されている。
【００２７】
絞り環受け４６の下面には、絞り口径が最大となる位置に、規制手段としてのストッパ４７Ａが垂設され、操作レバー４１の作用点部４１ｄの外縁が当接する。また、絞り口径が最小となる位置に、規制手段としてのストッパ４７Ｂが垂設され、絞り環４３の下面に垂設されたピン４５が当接する。その他の構成は、実施の形態１と同一である。
【００２８】
上記構成の絞り機構の動作を説明する。絞り羽根を作動させて、絞り口径が最大から最小までに絞る動作は、実施の形態１と同一である。絞り環４３上のピン４５がストッパ４７Ｂに当接し、絞り口径が最小となる位置から、さらに操作レバー４１を回動させると、ピン１５が捻じりバネ４２の弾発力に抗して長溝４１ｅに沿って相対的に移動し、図８に示すように、長溝４１ｅの終端にて停止し、捻じりバネ４２の弾発力の作用方向が回転軸１４の半径方向に変わるためロックされる。この動作により、操作レバー４１の操作板４１ｂの光軸近辺の部分によって、最小絞り口径が遮蔽される。すなわち、照明光を完全に遮断するシャッターとしての機能を果たすようになっている。また、この際の捻じりバネ４２の弾発力は、操作レバー４１をその位置にロックする方向に作用するため、不用意にシャッタが開放されるようなことはない。
【００２９】
本実施の形態によれば、実施の形態１の効果に加え、操作レバーを最小絞り口径の位置から、さらに回動させて最小絞り口径を遮蔽し、照明光のシャッタの機能を果たすことができる。
【００３０】
（実施の形態３）
図９〜図１１は実施の形態３を示し、図９は最小絞り口径の状態を示す絞り機構の下面図、図１０は操作レバーの移動により最小絞り口径を遮蔽した図、図１１は図１０のＡ部拡大図である。本実施の形態は、実施の形態２とは操作レバーとその関連部分のみが異なり、その他の部分は実施の形態１および実施の形態２と同一のため、異なる部分のみ示し、同一部分の図と説明を省略する。また、図９、図１０および図１１においても、実施の形態１および実施の形態２と同一の部材には同一の符号を付し説明を省略する。
【００３１】
図９において、絞り環受け４６の下面の操作者側には、回転軸１４が垂設され、操作レバー５１が回動自在に嵌装している。操作レバー５１には、実施の形態１と同様に、把手５１ａ、係合部としての長溝５１ｃおよび突起部５１ｄが形成されている。また、操作レバー５１の中央部分には、操作板５１ｂが形成され、その内側に最小絞り口径を遮蔽するための遮蔽部５１ｅが突設されている。さらに、図１１に示すように、回転軸１４が嵌合する操作レバー５１の部分には、支点部としての長穴５１ｆが穿設されている。操作レバー５１の長穴５１ｆの近傍には、クリックバネ５２が固着されており、操作レバー５１が図９の状態のときは、クリックバネ５２の先端５２ａと長穴５１ｆの一方の終端５１ｇとの間で回転軸１４に保持されて、操作レバー５１が回動する。その他の構成は、実施の形態１および実施の形態２と同一である。
【００３２】
上記構成の絞り機構の動作を説明する。絞り羽根を作動させて、絞り口径が最大から最小までに絞る動作は、実施の形態１と同一である。絞り環４３上のピン４５がストッパ４７Ｂに当接し、絞り口径が最小となる位置から、図９に示すように、矢印５３の方向（回転軸１４の半径方向）に操作レバー５１を押し出すと、操作レバー５１はその方向に移動し、図１０に示す状態となる。すなわち、最小絞り口径は操作レバー５１の遮蔽部５１ｅによって遮蔽され、照明光を完全に遮断するシャッターとしての機能を果たすようになっている。このとき、図１１に示すように、回転軸１４は、クリックバネ５２のクリック５２ｂの谷の部分で把持され、摩擦力によりその位置を保持することとなる。従って、不用意にシャッタが開放されるようなことはない。
【００３３】
本実施の形態によれば、実施の形態１と同様の効果に加え、操作レバーを最小絞り口径の位置から、さらに回転軸の半径方向に押し出して最小絞り口径を遮蔽し、照明光のシャッタの機能を果たすことができる。実施の形態２に比べ、コンデンサ周辺のスペースがさらに狭く、操作レバーの回動角度を拡大できないときに有効となる。
【００３４】
なお、上述の具体的な実施の形態から、次のような構成の技術的思想が導き出される。
（付記）
（１）  前記操作レバーの前記支点部と前記係合部との距離が、前記絞り環の回動中心と前記操作レバーの前記係合部との距離より長いことを特徴とする請求項１記載の顕微鏡の絞り機構。
【００３５】
請求項１の効果に加え、操作レバーの支点部から係合部までの回動半径が、絞り環の回動中心から係合部までの回動半径より大きいため、操作レバーの小さな回動角度の操作により、絞り環を大きな回動角度に駆動することができる。
【００３６】
（２）  前記操作レバーの前記支点部周りの形状を、前記絞り羽根の絞り径に干渉しない範囲で一部拡張したことを特徴とする請求項１記載の顕微鏡の絞り機構。
【００３７】
請求項１の効果に加え、操作レバーの回動操作を安定させ、かつ必要以上の回転力がかかった場合でも、操作レバーに発生する歪みなどの影響を少なくすることができる。
【００３８】
（３）  前記絞り羽根が最小絞り口径となる位置で、前記操作レバーの回動を規制するストッパを前記絞り環受けに設けたことを特徴とする請求項１記載の顕微鏡の絞り機構。
【００３９】
請求項１の効果に加え、絞り羽根に必要以上の負荷を与えず、故障や精度への影響を及ぼすことがない。
【００４０】
（４）  前記絞り羽根が最小絞り口径となる位置で、前記操作レバーを前記支点部を中心とする回動操作または前記支点部に対する直進操作をすることにより、前記絞り羽根の最小絞り口径を、前記操作レバーで遮蔽するように構成したことを特徴とする請求項２記載の顕微鏡の絞り機構。
【００４１】
請求項２の効果に加え、操作レバーを最小絞り口径の位置から、さらに回動または直進させて最小絞り口径を遮蔽し、照明光のシャッタの機能を果たすことができる。
【００４２】
（５）  前記絞り羽根の最小絞り口径を操作レバーで遮蔽するための当該操作レバーの移動は、バネ部材の弾発力に抗して行われることを特徴とする請求項３または付記（４）記載の顕微鏡の絞り機構。
【００４３】
請求項３または付記（４）の効果に加え、弾発力の作用により操作レバーをその位置でロックし、不用意にシャッタが開放されるようなことはない。
【００４４】
（６）  前記規制手段は、前記絞り羽根が最小絞り口径となる位置で、互いに当接するように、絞り環と絞り環受けとにそれぞれ設けられたピンであることを特徴とする請求項２記載の顕微鏡の絞り機構。
【００４５】
請求項２の効果に加え、絞り羽根が最小口径となる位置から、最小絞り口径を遮蔽するように操作レバーが移動するとき、ピン同士が当接し、操作レバーに必要以上の負荷を与えず、故障や精度への影響を及ぼすことがない。
【００４６】
【発明の効果】
請求項１、２または３に係る発明によれば、顕微鏡のコンデンサ周りなどのスペースが狭い箇所でも、絞り口径の開閉操作を簡単な構造でかつ容易に行うことができる。
【００４７】
請求項２または３に係る発明によれば、上記効果に加え、絞り羽根に必要以上の負荷を与えず、故障や精度への影響を及ぼすことがない。
【００４８】
請求項３に係る発明によれば、上記効果に加え、操作レバーを最小絞り口径の位置から、さらに移動して最小絞り口径を遮蔽し、照明光のシャッタの機能を果たすことができる。
【図面の簡単な説明】
【図１】実施の形態１の顕微鏡の透過照明光路の正面図である。
【図２】実施の形態１の顕微鏡の透過照明光路の上面図である。
【図３】実施の形態１の絞り機構の下面図である。
【図４】実施の形態１の操作レバーの回動位置と絞り口径との関係を示す図である。
【図５】実施の形態１の操作レバーの回動位置と絞り口径との関係を示す図である。
【図６】実施の形態１の操作レバーの回動位置と絞り口径との関係を示す図である。
【図７】実施の形態２の最小絞り口径の状態を示す絞り機構の下面図である。
【図８】実施の形態２の操作レバーの移動により最小絞り口径を遮蔽した図である。
【図９】実施の形態３の最小絞り口径の状態を示す絞り機構の下面図である。
【図１０】実施の形態３の操作レバーの移動により最小絞り口径を遮蔽した図である。
【図１１】実施の形態３の図１０のＡ部拡大図である。
【図１２】従来技術１の顕微鏡の透過照明光路の正面図である。
【図１３】従来技術１の顕微鏡の透過照明光路の上面図である。
【図１４】従来技術１のコンデンサユニットの拡大断面図である。
【図１５】従来技術１の絞り環の下面図である。
【図１６】従来技術１の絞り環受けおよび絞り羽根の上面図である。
【図１７】従来技術１の絞り環受けの上面図である。
【図１８】従来技術２の顕微鏡用ターレットコンデンサーの縦断面図である。
【図１９】従来技術２の絞り操作盤と第２ターレットの細部構造を示す分解要部斜視図である。
【符号の説明】
１３  操作レバー
１３ｃ  長溝
１３ｅ  支点穴
１６  絞り環
１７  絞り羽根
１８  絞り環受け
【図１】
0004166328.tif 000002
【図２】
0004166328.tif 000003
【図３】
0004166328.tif 000004
【図４】
0004166328.tif 000005
【図５】
0004166328.tif 000006
【図６】
0004166328.tif 000007
【図７】
0004166328.tif 000008
【図８】
0004166328.tif 000009
【図９】
0004166328.tif 000010
【図１０】
0004166328.tif 000011
【図１１】
0004166328.tif 000012
【図１２】
0004166328.tif 000013
【図１３】
0004166328.tif 000014
【図１４】
0004166328.tif 000015
【図１５】
0004166328.tif 000016
【図１６】
0004166328.tif 000017
【図１７】
0004166328.tif 000018
【図１８】
0004166328.tif 000019
【図１９】
0004166328.tif 000020